(57)【要約】【課題】  支持強度の高いガスメータの支持装置を提供する。【解決手段】  金属板からなる固定部材１を側壁Ｗに固定する。この固定部材１の水平な載置板部１ｂに金属板からなる保持部材２を載置固定する。一次側接続管３を主管４と副管５とから構成し、二次側接続管６を主管７と副管８とから構成する。保持部材２の前面側の左右両端部には、主管４の下流側端部４ｂと主管７の上流側端部７ａとをそれぞれ固定する。副管５を第１固定板９Ａによって側壁Ｗに固定する。副管８を第２固定板９Ｂによって側壁Ｗに固定する。【選択図】  図１
2005114524.tif 000002
【特許請求の範囲】
【請求項１】
上流側端部にフレキシブルガス管からなる一次側ガス管が接続され、軸線を上下方向に向けた下流側端部にガスメータの導入口が接続される一次側接続管と、軸線を上下方向に向けた上流側端部に上記ガスメータの導出口が接続され、下流側端部にフレキシブルガス管からなる二次側ガス管が接続される二次側接続管と、ほぼ水平に配置された板材からなり、上記一次側接続管の下流側端部と上記二次側接続管の上流側端部とを水平方向へ互いに所定距離だけ離れた状態で保持する保持部材とを備えたガスメータの支持装置において、
支持部材と、この支持部材に上記一次側接続管の上流側端部と上記二次側接続管の下流側端部とを固定する固定手段とをさらに備えたことを特徴とするガスメータの支持装置。
【請求項２】
上記固定手段が、上記一次側接続管の上流側端部を上記支持部材に固定する一次側固定手段と、この一次側固定手段と別個に形成され、上記二次側接続管の下流側端部を上記支持部材に固定する二次側固定手段とを有しており、上記一次側固定手段と上記二次側固定手段との少なくとも一方が、上記支持部材に対し上記一次側接続管の下流側端部と上記二次側接続管の上流側端部との離間方向へ位置調節可能であることを特徴とする請求項１に記載のガスメータの支持装置。
【請求項３】
上記支持部材に固定される補助支持手段をさらに備え、この補助支持手段には、上記一次側接続管の上流側端部と上記二次側接続管の下流側端部とを上記支持部材に固定する際に、上記保持部材が水平に載置される載置部が設けられていることを特徴とする請求項１又は２に記載のガスメータの支持装置。
【請求項４】
上記支持部材が、その長手方向を上記一次側接続管の下流側端部と上記二次側接続管の上流側端部との離間方向と同一方向な水平方向に向けて配置されていることを特徴とする請求項１又は２に記載のガスメータの支持装置。
【請求項５】
上記一次側接続管の上流側端部を上記支持部材に仮固定する一次側仮固定部材と、上記二次側接続管の下流側端部を上記支持部材に仮固定する２次側仮固定部材とをさらに備えていることを特徴とする請求項４に記載のガスメータの支持装置。
【請求項６】
請求項５に記載のガスメータの支持装置の一次側仮固定部材又は二次側仮固定部材として用いられる仮固定具であって、
一端部に上記支持部材の上面部から背面部に至る範囲に下方へ移動不能に係合する第１係合部を有し、他端部に上記一次側接続管の上流側端部又は二次側接続管の下流側端部に下方及び上記支持部材の前面部から離間する水平方向へ移動不能に係合する第２係合部を有し、上記第１係合部が上記支持部材に係合し、かつ上記第２係合部が上記一次側接続管の上流側端部又は二次側接続管の下流側端部に係合した状態では当該接続管の外周面を上記支持部材に接触させることを特徴とする仮固定具。
【請求項７】
上記第１係合部が、上記支持部材の上面に載置される載置部と、この載置部の一端部から下方に延び、上記支持部材の背面部に接触する係止腕部とを有し、上記第２係合部が、上記一次側接続管の上流側端部又は二次側接続管の下流側端部が嵌合し、かつ嵌合した接続管の外周面に形成された下方を向く環状面が載置される嵌合部を有していることを特徴とする請求項６に記載の仮固定具。
【発明の詳細な説明】
【技術分野】
【０００１】
この発明は、ガスメータを支持するためのガスメータの支持装置及びこの支持装置において用いられる一次側又は二次側接続管を支持部材に仮固定するための仮固定具に関する。
【背景技術】
【０００２】
一般に、ガスメータの支持装置は、金属製の板材からなる固定部材及び保持部材と、それぞれ略Ｕ字状をなす一次側及び二次側接続管を備えている。固定部材は、上下方向に延びる固定板部と、この固定板部から水平方向前方へ突出する水平板部とから構成されており、固定板部が家屋の側壁部に固定される。一方、保持部材は、平板状をなしており、固定部材の載置に載置固定される。保持部材の前面側の左右両端部には、第１、第２取付凹部が形成されている。第１、第２取付凹部には、一次側接続管の下流側端部と二次側接続管の上流側端部とがそれぞれ上下に貫通した状態で取り付けられる。一次側接続管の下流側端部にはガスメータの導入口が螺合固定され、二次側接続管の上流側端部にはガスメータの導出口が螺合固定される。これにより、ガスメータが一次側及び二次側接続管、保持部材並びに固定部材を介して家屋の側壁に支持される。なお、一次側接続管の上流側端部及び二次側接続管の下流側端部には、フレキシブルガス管からなる一次側ガス管と二次側ガス管とがそれぞれ接続される。
【０００３】
【特許文献１】特開平１１−１６０１２５号公報
【発明の開示】
【発明が解決しようとする課題】
【０００４】
上記従来のガスメータの支持装置においては、保持部材、一次側接続管、二次側接続管及びガスメータの全重量を固定部材が支持している。しかるに、固定部材が薄い板材によって形成されているため、強度不足の感が否めず、接続管又はガスメータ等に外力が作用すると、固定部材が変形してしまい、水平に保持されるべきガスメータが傾斜するおそれがあった。
なお、固定部材を構成する金属板の厚さを厚くすることによって十分な強度が得られるが、そのようにするとガスメータの支持装置全体の重量が過大になってしまい、ガスメータの取付作業が非常に行い難くなるという別の問題が生じてしまう。
【課題を解決するための手段】
【０００５】
この発明は、上記の問題を解決するためになされたもので、上流側端部にフレキシブルガス管からなる一次側ガス管が接続され、軸線を上下方向に向けた下流側端部にガスメータの導入口が接続される一次側接続管と、軸線を上下方向に向けた上流側端部に上記ガスメータの導出口が接続され、下流側端部にフレキシブルガス管からなる二次側ガス管が接続される二次側接続管と、ほぼ水平に配置された板材からなり、上記一次側接続管の下流側端部と上記二次側接続管の上流側端部とを水平方向へ互いに所定距離だけ離れた状態で保持する保持部材とを備えたガスメータの支持装置において、支持部材と、この支持部材に上記一次側接続管の上流側端部と上記二次側接続管の下流側端部とを固定する固定手段とをさらに備えたことを特徴としている。
この場合、上記固定手段が、上記一次側接続管の上流側端部を上記支持部材に固定する一次側固定手段と、この一次側固定手段と別個に形成され、上記二次側接続管の下流側端部を上記支持部材に固定する二次側固定手段とを有しており、上記一次側固定手段と上記二次側固定手段との少なくとも一方が、上記支持部材に対し上記一次側接続管の下流側端部と上記二次側接続管の上流側端部との離間方向へ位置調節可能であることが望ましい。
上記支持部材に固定される補助支持手段をさらに備え、この補助支持手段には、上記一次側接続管の上流側端部と上記二次側接続管の下流側端部とを上記支持部材に固定する際に、上記保持部材が水平に載置される載置部が設けられていることが望ましい。
上記支持部材が、その長手方向を上記一次側接続管の下流側端部と上記二次側接続管の上流側端部との離間方向と同一方向な水平方向に向けて配置されていることが望ましい。
上記一次側接続管の上流側端部を上記支持部材に仮固定する一次側仮固定部材と、上記二次側接続管の下流側端部を上記支持部材に仮固定する２次側仮固定部材とをさらに備えていることが望ましい。
ガスメータの支持装置の一次側仮固定部材又は二次側仮固定部材として用いられる仮固定具としては、一端部に上記支持部材の上面部から背面部に至る範囲に下方へ移動不能に係合する第１係合部を有し、他端部に上記一次側接続管の上流側端部又は二次側接続管の下流側端部に下方及び上記支持部材の前面部から離間する水平方向へ移動不能に係合する第２係合部を有し、上記第１係合部が上記支持部材に係合し、かつ上記第２係合部が上記一次側接続管の上流側端部又は二次側接続管の下流側端部に係合した状態では当該接続管の外周面を上記支持部材に接触させるものであることが望ましい。上記第１係合部が、上記支持部材の上面に載置される載置部と、この載置部の一端部から下方に延び、上記支持部材の背面部に接触する係止腕部とを有し、上記第２係合部が、上記一次側接続管の上流側端部又は二次側接続管の下流側端部が嵌合し、かつ嵌合した接続管の外周面に形成された下方を向く環状面が載置される嵌合部を有していることが望ましい。
【発明の効果】
【０００６】
上記特徴構成を有するこの発明のガスメータの支持装置によれば、一次側及び二次側接続管を固定手段によって支持部材に固定しているので、支持強度を向上させることができる。したがって、保持部材を薄い金属板によって構成したとしてもその変形を防止することができる。
また、この発明の仮固定具によれば、一次側接続管及び二次側接続管の支持部材への固定作業時に、一次側及び二次側接続管を支持部材に仮固定するので、固定作業者は固定作業中に一次側及び二次側接続管を手で支持する必要がない。したがって、一次側及び二次側接続管の固定作業を容易に行わせることができる。
【発明を実施するための最良の形態】
【０００７】
以下、この発明を実施するための最良の形態を、図面を参照して説明する。
図１〜図３は、この発明に係るガスメータの支持装置の第１実施の形態を示す。この実施の形態のガスメータの支持装置Ａは、ガスメータ（図示せず）を家屋の鉛直な側壁（支持部材）Ｗに取り付けるようにしたものであり、固定部材（補助支持手段）１、保持部材２、一次側接続管３、二次側接続管６、及び第１、第２固定板９Ａ，９Ｂを主な構成要素としている。
【０００８】
固定部材１は、金属製の板材からなるものであり、上下に延びる固定板部１ａと、この固定板部１ａの上端部に一体に形成され、固定板部１ａの上端部から前方へ向かって水平に延びる載置板部（載置部）１ｂとを有している。固定板部１ａは、側壁Ｗにビス１１によって押圧固定されている。したがって、固定部材１は、側壁Ｗの任意の位置に固定することができる。しかも、ビス１が固定板部１ａに形成された上下方向に延びる長孔１ｃに挿通されているので、固定部材１は、固定板部１ａの上下方向における位置調節及び載置板部１ｂの水平調節が可能になっている。載置板部１ｂの左右方向の一側部には、下方に向かって延びる補強板部１ｄが形成されている。この補強板部１ｄの後方を向く側面が固定板部１に突き当たることにより、載置板部１ｂの下方への力に対しする補強がなされている。
【０００９】
保持部材２は、金属製の平板によって構成されており、水平に配置されている。保持部材２の前端面には、左右方向に離間した第１、第２取付凹部２ａ，２ｂが形成されている。第１、第２取付凹部２ａ，２ｂの中心間距離は、ガスメータにガスを導入する導入口とガスメータからガスを導出する導出口との中心間距離と同一に設定されている。保持部材２は、固定部材１の載置板部１ｂ上に載置され、保持部材２及び載置板部１ｂを貫通するボルト１２及びこのボルト１２に螺合されたナット１３を締め付けることによって載置板部１ｂに押圧固定されている。ボルト１２は、載置板部１ｂに形成された前後方向に延びる長孔１ｅに挿通されおり、それによって保持部材２が前後方向へ位置調節可能になっている。
【００１０】
一次側接続管３は、主管４と副管５とを有している。主管４は、逆「Ｕ」字状に形成されている。その結果、主管４の上流側端部４ａと下流側端部４ｂとは、互いに平行になっており、軸線を上下方向に向けている。上流側端部４ａには、副管５の上端部が螺合固定されている。副管５の下端部には、一次側ガス管たるフレキシブルガス管Ｇ１が継手Ｃ１を介して接続されている。副管５が主管４に固定されていることから明かなように、主管４と副管５とは、後述する実施の形態のように、互いに一体に形成してもよい。また、副管５及び継手Ｃ１を省略して一次側ガス管Ｇ１を主管（一次側接続管）４の上流側端部４ａに直接接続してもよい。
【００１１】
主管４の下流側端部４ｂの上下方向における中間部は、保持部材２の第１取付凹部２ａに回動可能に挿通されている。下流側端部４ｂを中心として主管４（一次側接続管３）を回動させることにより、上流側端部４ａの水平方向における位置を調節することができる。下流側端部４ｂには、保持部材２の上面に接する固定腕部４ｃが設けられている。この固定腕部４ｃ及び保持部材２を貫通したボルト１４及びこれに螺合されたナット１５を締め付けることにより、固定腕部４ｃが保持部材２に固定されて、ひいては主管４が保持部材２に固定されている。ボルト１４は、保持部材２に形成された円弧状のガイド孔２ｃにその長手方向へ移動可能に挿通されている。したがって、下流側端部４ｂは、その軸線を中心として回動可能であり、それによって上流側端部４ａの水平方向における位置を適宜調節することができるようになっている。下流側端部４ｂの保持部材２より下方に位置する最下端部には、接続ナット４ｄが回動可能に設けられている。この接続ナット４ｄにガスメータの上面部に形成された導入口を螺合させて接続ナット４ｄを締め付けることにより、導入口が主管４、つまり一次側接続管３の下流側端部４ｂに連結固定されている。したがって、フレキシブルガス管Ｇ１から供給されるガスは、継手Ｃ１、一次側接続管３を通り、導入口からガスメータ内に導入される。
【００１２】
主管４の上端部には、ハンドル４ｅが回動可能に設けられている。このハンドル４ｅは、主管４内に設けられた弁体（図示せず）を回動させるためのものであり、ハンドル４ｅを閉位置に回動させると、弁体が主管４の内部を閉じてガスの流通を遮断する。その一方、ハンドル４ｅを開位置に回動させると、弁体が主管４の内部を開いてガスの流通を許容する。
【００１３】
二次側接続管６は、一次側接続管３と同様に、主管７と副管８とを有している。主管７は、一次側接続管３の主管４と同様に、逆「Ｕ」字状をなしており、上流側端部７ａ及び下流側端部７ｂが軸線を上下方向に向けて互いに平行になっている。上流側端部７ａの上下方向における中間部が第２取付凹部２ｂに回動可能に挿通されている。したがって、主管７は、上流側端部７ａの軸線を中心として回動させることができ、それによって下流側端部７ｂの水平方向の位置を調節することができる。上流側端部７ａには、保持部材２の上面に接触した固定腕７ｃが設けられており、この固定腕部７ｃ及び保持部材２を貫通したボルト１６及びこのボルト１６に螺合されたナット１７を締め付けることにより、固定腕部７ｃが保持部材２に固定され、ひいては主管７（二次側接続管４）が保持部材２に固定されている。ボルト１６は、保持部材２に形成された円弧状のガイド孔２ｄにその長手方向へ移動可能に挿通されている。したがって、主管７は、その上流側端部７ａを中心として回動可能であり、それによって下流側端部７ｂを水平方向に位置調節することができるようになっている。上流側端部７ａの保持部材２より下方に位置する最下端部には、接続ナット７ｄが回動可能に設けられている。この接続ナット７ｄにガスメータの上面部に形成された導出口を螺合させて接続ナット４ｄを締め付けることにより、導出口が主管７の上流側端部７ａに連結固定されている。このとき、一次側接続管３の下流側端部４ｂと二次側接続管６の上流側端部７ａとの間の距離が保持部材２によって導入口と導出口との間の距離と同一に維持されているので、導入口及び導出口の接続を容易に行うことができる。
【００１４】
主管７の下流側端部７ｂには、副管８の上端部が螺合固定されている。副管８の下端部には、フレキシブルガス管からなる二次側ガス管Ｇ２が継手Ｃ２を介して接続されている。したがって、ガスメータを通って導出口から導出されたガスは、二次側接続管６、継手Ｃ２を介して二次側ガス管Ｇ２に流入する。そして、二次側ガス管Ｇ２から例えば家庭のガス器具（図示せず）に供給される。副管８が主管７に固定されていることから明かなように、主管７と副管８とは、後述する実施の形態のように、互いに一体に形成してもよい。また、副管８及び継手Ｃ２を省略してニ次側ガス管Ｇ２を主管７（ニ次側接続管６）の下流側端部７ｂに直接接続してもよい。
【００１５】
上記第１固定板（一次側固定手段）９Ａは、副管５を側壁Ｗに固定し、それによって一次側接続管３を側壁Ｗに固定するためのものであり、金属板又は樹脂を成形することによって形成されている。第１固定板９Ａの両端部には、平板部９ａ，９ｂが形成され、中央部には略半円状をなす押圧部９ｃが形成されている。押圧部９ｃには、副管５の断面円形をなす大径部５ａが挿通されている。そして、平板部９ａ，９ｂを貫通して側壁Ｗに螺合されたビス１８，１８を締め付けることにより、押圧部９ｃが大径部５ａを側壁Ｗに押圧固定している。これにより、副管５がその軸線を上下方向に向けた状態で側壁Ｗに固定され、ひいては一次側接続管３の上流側端部４ａがその軸線を上下方向に向けた状態で側壁Ｗに固定されている。副管５の側壁Ｗへの押圧固定を可能にするために、大径部５ａは、これと上下方向に並んだ他の部材に対して同等以上の外径を有しており、大径部５ａの軸線を上下方向に向けた状態で一次側接続管３の上流側端部４ａ側を側壁Ｗに接近させると、大径部５ａが他の部材と同時または他の部材より早く側壁Ｗに接触するようになっている。
【００１６】
上記第２固定板（二次側固定手段）９Ｂは、第１固定板９Ａと同一に構成されており、第１固定板９Ａが副管５の大径部５ａを側壁Ｗに固定する場合と同様にして、副管８の大径部８ａを側壁Ｗに固定するようになっている。
【００１７】
上記構成のガスメータの支持装置Ａにおいては、ガスメータ並びに一次側及び二次側接続管３，６が固定部材１により保持部材２を介して支持されているのみならず、一次側及び二次側接続管３，６が第１、第２固定板９Ａ，９Ｂによって側壁Ｗに押圧固定されることによって側壁Ｗに直接支持されているから、支持装置Ａのガスメータ並びに一次側及び二次側接続管３，６に対する支持強度を向上させることができる。したがって、ガスメータ又は一次側接続管３あるいは二次側接続管６に外力作用したとき、その外力は一次側接続管３又は二次側接続管６によって受け止められ、保持部材２及び固定部材１に作用することがほとんどない。したがって、固定部材１及び保持部材２が変形するような事態を未然に防止することができる。また、一次側及び二次側接続管３，６による支持強度が大きいので、固定部材１を省略することも可能である。固定部材１を設ける場合には、一次側及び二次側接続管３，６を側壁Ｗに固定する際に、一次側及び二次側接続管３，６が取り付けられた保持部材２を載置板部１ｂに載置しておくためにだけ固定部材１を用いてもよい。それにより、一次側及び二次側接続管３，６の固定作業時に、ガスメータ及び接続管３，６等を手で支持するという重労働から作業者を解放することができる。
【００１８】
次に、この発明に係るガスメータの支持装置の他の実施の形態について説明する。なお、以下の実施の形態については、上記実施の形態と異なる構成についてのみ説明することとし、同様な構成部分には同一符号を付してその説明を省略する。
【００１９】
図４〜図６は、この発明に係るガスメータの支持装置の第２実施の形態を示す。この実施の形態の支持装置Ｂにおいては、側壁Ｗに代わる支持部材として、断面略四角形状をなす二つのチャンネル鋼２０が用いられている。各チャンネル鋼２０は、その長手方向を左右方向に向け、かつそれぞれの前面が同一鉛直面上に位置するように配置されている。チャンネル鋼２０の前面の中央部には、長手方向に沿って延びる開放部２０ａが形成されている。この開放部２０ａの上下の側部に臨むチャンネル鋼２０の前面部には、チャンネル鋼２０の内側へ向かって突出する突出片部２０ｂ，２０ｂがそれぞれ形成されている。なお、チャンネル鋼２０は、この実施の形態では２つ用いられているが、一つ又は３つ以上用いてもよい。
【００２０】
また、この支持装置Ｂにおいては、副管５，８に代えて副管５Ａ，８Ａがそれぞれ用いられている。つまり、一次側接続管３が主管４と副管５Ａとから構成され、二次側接続管６が主管７と副管８Ａとから構成されている。各副管５Ａ，８Ａの上下方向における中央部には、両端部より小径の小径部５ｂ，８ｂがそれぞれ形成されている。副管５Ａ，８Ａの各小径部５ｂ，８ｂが、上記第１、第２固定板９Ａ，９Ｂに代わる第１、第２固定板（第１、第２固定手段）９Ｃ，９Ｄによって固定されている。第１、第２固定板９Ｃ，９Ｄにおいては、平板部９ａ，９ｂの外側の端部に押圧部９ｃの突出側と逆側に突出する嵌合片９ｄが形成されている。この嵌合片９ｄは、チャンネル鋼２０の開放部２０ａに上下方向へ移動不能に、かつ左右方向へ移動可能に挿入されている。これにより、第１、第２固定板９Ｃ，９Ｄがチャンネル鋼２０の長手方向（左右方向）へ位置調節可能になっている。チャンネル鋼２０の内部には、ナット部材２１が左右方向へ移動可能に配置されている。このナット部材２１には、第１固定板９Ｃの平板部９ａ，９ｂを貫通した各ボルト２２がそれぞれ螺合されている。したがって、ボルト２２を締め付けると、ナット部材２１が突出片部２０ｂ，２０ｂに押圧されるとともに、副管５Ａ，８Ａの小径部５ｂ，８ｂが押圧部９ｃによってチャンネル鋼２０の前面に押圧され、ひいては一次側及び二次側接続管３，６がチャンネル鋼２０に押圧固定されている。なお、この実施の形態では、副管５Ａ，８Ａの小径部５ｂ，８ｂの上下の端部が二つのチャンネル鋼２０，２０にそれぞれ押圧固定されてることにより、一次側及び二次側接続管３，６がチャンネル鋼２０，２０に強固に固定されているので、固定部材１が用いられていない。
【００２１】
さらに、この支持装置Ｂにおいては、一次側仮固定部材（仮固定部）２３Ａ及び二次側仮固定部材（仮固定具）２３Ｂが用いられている。一次側及び二次側仮固定具２３Ａ，２３Ｂは、一次側及び二次側接続管３，６をチャンネル鋼２０に固定する際に、一次側及び二次側接続管３，６を保持し、それによって一次側及び二次側接続管３，６のチャンネル鋼２０に対する固定作業時に、ガスメータ及び接続管３，６等を手で支持するという重労働から作業者を解放するためのものである。一次側仮固定部材２３Ａは、図８に示すように、金属製の線材からなるものであり、半円より大きい円周を有する嵌合部２３ａと、この嵌合部２３ａから互いに平行に延びる一対の受け部２３ｂ，２３ｂと、各受け部２３ｂ，２３ｂの先端部から直交する方向に延びる係止腕部２３ｃ，２３ｃとを有している。嵌合部２３ａによって第２係合部が構成され、受け部２３ｂ及び係止腕部２３ｃによって第１係合部が構成されている。二次側仮固定部材２３Ｂは、一次側仮固定部材２３Ａと同一に形成されているのでその説明は省略する。
【００２２】
一次側仮固定部材２３Ａの嵌合部２３ａには、小径部５ｂが嵌合されている。嵌合部２３ａの上面には、主管４の上流側端部４ａの下端面（被支持面）４ｆが載置されている。勿論、嵌合部２３ａに小径部５ｂが嵌合した状態で下端面４ｆを嵌合部２３ａに載置することができるようにするために、下端面４ｆを有する上流側端部４ａの外径は、小径部５ｂの外径より大径になっている。一方、受け部２３ｂは、チャンネル鋼２０の上面に載置され、係止腕部２１ｃは、チャンネル鋼２０の背面に沿って下方へ延びている。ここで、受け部２１ｂがチャンネル鋼２０に載置された状態では、小径部５ｂがチャンネル鋼２０の前面にほぼ接触し、係止腕部２１ｃがチャンネル鋼２０の背面にほぼ接触している。したがって、小径部５ｂと係止腕部２３ｃとがチャンネル鋼２０を前後から挟持したような状況を呈する。この結果、一次側仮固定部材２３Ａは、チャンネル鋼２０に確実に係止され、一次側接続管３を保持する。
【００２３】
二次側仮固定部材２３Ｂは、その嵌合部２３ａに小径部８ｂが挿入される点、及び嵌合部２３ａに主管７の下流側端部７ｂの下端面（被支持面）７ｅが載置される点を除いて一次側仮固定部材２３Ａと同様であり、同様にしてチャンネル鋼２０に係止されるとともに、二次側接続管６を保持する。
【００２４】
上記構成のガスメータの支持装置Ｂにおいては、一次側及び二次側接続管３，６のチャンネル鋼２０，２０への固定作業時に、一次側仮固定部材２３Ａが一次側接続管３を保持し、二次側仮固定部材２３Ｂが二次側接続管６を保持するので、一次側及び二次側接続管３，６を手で支持する必要がない。したがって、一次側及び二次側接続管３，６のチャンネル鋼２０への固定作業を容易に行うことができる。
【００２５】
図９は、一次側仮固定部材及び二次側仮固定部材の他の実施の形態を示すものである。この実施の形態の一次側仮固定部材２３Ｃ（二次側仮固定部材２３Ｄも同様）は、金属製又は樹脂製の板材によって構成されている。その結果、嵌合部２３ａがリングとして形成され、受け部２３ｂ及び係止腕部２３ｃが平板状に形成されている。
【００２６】
図１０及び図１１は、この発明の第３実施の形態を示す。この実施の形態のガスメータの支持装置Ｃにおいては、一次側接続管３を構成する主管４と副管５Ａとが一体に形成され、二次側接続管６を構成する主管７と副管８Ａとが一体に形成されている。その他の構成は、上記第２実施の形態と同様である。
【００２７】
なお、この発明は、上記の実施の形態に限定されるものでなく、その要旨を逸脱しない範囲において適宜変更可能である。
例えば、上記の実施の形態は、導入口及び導出口が上面に形成されたガスメータを支持するように構成されているが、この発明に係るガスメータの支持装置は、導入口及び導出口が下面に形成されたガスメータの支持にも用いることができる。そのようなガスメータの場合には、一次側及び二次側接続管として、直線状又はクランク状のものを用いてもよい。
また、上記の実施の形態においては、第１固定板９Ａと第２固定板９Ｂとを別個に形成しているが、両者を左右に連続させて一体に形成し、これを固定手段としてもよい。これは、第１、第２固定板９Ｃ，９Ｄについても同様である。
【図面の簡単な説明】
【００２８】
【図１】この発明に係るガスメータの支持装置の第１実施の形態を示す正面図である。
【図２】同実施の形態の平面図である。
【図３】同実施の形態の左側面図である。
【図４】この発明に係るガスメータの支持装置の第２実施の形態を示す一部省略正面図である。
【図５】同実施の形態の一部省略左側面図である。
【図６】同実施の形態の一部省略平面図である。
【図７】図４〜図６に示す実施の形態において用いられている第１固定板（第２固定板）を示す図であって、図７（Ａ）はその正面図、図７（Ｂ）はその平面図、図７（Ｃ）はその側面図である。
【図８】図４〜図６に示す実施の形態において用いられている一次側仮固定部材（二次側仮固定部材）を示す図であって、図８（Ａ）はその平面図、図８（Ｂ）はその正面図である。
【図９】一次側仮固定部材（二次側仮固定部材）の他の実施の形態を示す図であって、図９（Ａ）はその平面図、図９（Ｂ）はその正面図である。
【図１０】この発明に係るガスメータの支持装置の第３実施の形態を示す一部省略正面図である。
【図１１】同実施の形態の側面図である。
【符号の説明】
【００２９】
Ａ  ガスメータの支持装置
Ｂ  ガスメータの支持装置
Ｃ  ガスメータの支持装置
Ｇ１  一次側ガス管
Ｇ２  二次側ガス管
Ｗ  側壁（支持部材）
１  固定部材（補助支持手段）
１ｂ  載置板部（載置部）
２  保持部材
３  一次側接続管
４ａ  （一次側接続管の）上流側端部
４ｂ  （一次側接続管の）下流側端部
６  二次側接続管
７ａ  （二次側接続管の）上流側端部
７ｂ  （二次側接続管の）下流側端部
９Ａ  第１固定板（第１固定手段）
９Ｂ  第２固定板（第２固定手段）
９Ｃ  第１固定板（第１固定手段）
９Ｄ  第２固定板（第２固定手段）
２０  チャンネル鋼（支持部材）
２３Ａ  一次側仮固定部材
２３Ｂ  二次側仮固定部材
２３Ｃ  一次側仮固定部材
２３Ｄ  二次側仮固定部材
２３ａ  嵌合部
２３ｂ  受け部
２３ｃ  係止腕部
【図１】
2005114524.tif 000003
【図２】
2005114524.tif 000004
【図３】
2005114524.tif 000005
【図４】
2005114524.tif 000006
【図５】
2005114524.tif 000007
【図６】
2005114524.tif 000008
【図７】
2005114524.tif 000009
【図８】
2005114524.tif 000010
【図９】
2005114524.tif 000011
【図１０】
2005114524.tif 000012
【図１１】
2005114524.tif 000013